(57)【要約】【課題】ストロボ装置において、装置の姿勢が変更された場合でも、装置が基準姿勢にある場合と同様に表示パネルと入力キー群とを用いた動作設定を可能とする。【解決手段】ストロボ装置１が、装置本体の姿勢を検出する傾斜センサ２１と、液晶パネル４に表示する動作設定用画像の向きを、装置本体の姿勢に応じて変更するとともに、各入力キー１１の操作によって実行されるべき処理の割り当てを、装置本体の姿勢に応じてそれぞれ変更する制御部１３とを備えた構成とする。【選択図】図４
2012032419.tif 000002
【特許請求の範囲】
【請求項１】
表示パネルと、当該表示パネルと協働して動作設定を行うための入力キー群とを備えたストロボ装置であって、
前記ストロボ装置本体の姿勢を検出する姿勢検出センサと、
前記表示パネルに表示する動作設定用画像の向きを、前記ストロボ装置本体の姿勢に応じて変更する表示制御手段と、
前記各入力キーの操作によって実行されるべき処理の割り当てを、前記ストロボ装置本体の姿勢に応じてそれぞれ変更する操作制御手段と
を備えたことを特徴とするストロボ装置。
【請求項２】
前記動作設定用画像は、複数の動作設定の処理に関連づけられた複数の設定ボタンの表示を含み、
前記入力キー群は、前記複数の設定ボタンのいずれかを選択すべく互いに異なる方向に対応して設けられた複数の方向キーを含むことを特徴とする、請求項１に記載のストロボ装置。
【発明の詳細な説明】
【技術分野】
【０００１】
本発明は、表示パネルと、当該表示パネルと協働して動作設定を行うための入力キー群とを備えたストロボ装置に関する。
【背景技術】
【０００２】
従来、ディジタルカメラやカメラ付き携帯電話等の電子機器では、撮像時の縦横の向きにかかわらず、撮影画像を適切な向きでＬＣＤ（Liquid Crystal Display）等に表示する機能を備えたものが普及している。
【０００３】
この種の電子機器として、例えば、所定位置に文字などの情報を表示するための表示パネルを設けた表示パネル付携帯端末であって、端末本体の姿勢を検知する重力センサと、このセンサが検知した端末本体の姿勢に応じて表示パネルに表示する情報の配列方向を適正な状態に変更する表示制御手段とを備えたものが知られている（特許文献１参照）。これによると、表示パネルに画像を表示する際に、画像の向きに応じて端末本体を所定の状態に持ち直す必要がなくなり、視認性や操作性が向上するという利点がある。
【先行技術文献】
【特許文献】
【０００４】
【特許文献１】特開２０００−３３２８６６号公報
【発明の概要】
【発明が解決しようとする課題】
【０００５】
しかしながら、上記従来技術は、メール文等の文字や写真等の情報を対象として表示制御を行うものであるため、端末の動作設定の情報が表示対象に関連づけられた画像（以下、動作設定用画像という。）を表示する場合にはそのまま適用することは困難であった。さらに、表示パネルと協働して動作設定を行うための入力キー群（ユーザが指で操作するボタン等）を備えた電子機器では、動作設定用画像の向きのみが変更されると、その画像表示と入力キーとの対応関係が複雑となり、かえって操作性が低下するという問題があった。
【０００６】
本発明は、このような従来技術の課題を鑑みて案出されたものであり、装置の姿勢が変更された場合でも、装置が基準姿勢にある場合と同様に表示パネルと入力キー群とを用いた動作設定を可能とするストロボ装置を提供することを目的とする。
【課題を解決するための手段】
【０００７】
上記課題を解決するためになされた第１の発明は、表示パネル（４）と、当該表示パネルと協働して動作設定を行うための入力キー群（５）とを備えたストロボ装置（１）であって、前記ストロボ装置本体の姿勢を検出する姿勢検出センサ（２１）と、前記表示パネルに表示する動作設定用画像の向きを、前記ストロボ装置本体の姿勢に応じて変更する表示制御手段と、前記各入力キーの操作によって実行されるべき処理の割り当てを、前記ストロボ装置本体の姿勢に応じてそれぞれ変更する操作制御手段とを備えた構成とする。
【０００８】
また、第２の発明として、前記動作設定用画像は、複数の動作設定の処理に関連づけられた複数の設定ボタンの表示を含み、
前記入力キー群は、前記複数の設定ボタンのいずれかを選択すべく互いに異なる方向に対応して設けられた複数の方向キー（Ａ〜Ｄ）を含む構成とすることができる。
【発明の効果】
【０００９】
上記第１の発明によれば、装置の姿勢に応じて、表示パネルに表示する動作設定用画像の向きと、各入力キーの処理の割り当てとが変更されるため、装置の姿勢が変更された場合でも、ユーザは装置が基準姿勢にある場合と同様に表示パネルと入力キーとを用いて動作設定を行うことができるという優れた効果を奏する。
【００１０】
上記第２の発明によれば、各入力キーに対して処理を割り当てるための制御が容易となるとともに、ユーザは方向キー（例えば、十字キー）を用いた簡易な操作により動作設定を行うことができる。
【図面の簡単な説明】
【００１１】
【図１】実施形態に係るストロボ装置の背面図
【図２】実施形態に係るストロボ装置の機能ブロック図
【図３】実施形態に係るストロボ装置の表示・操作制御の一例を示す説明図
【図４】実施形態に係るストロボ装置の表示・操作制御の一例を示す説明図
【図５】実施形態に係るストロボ装置の表示・操作制御の一例を示す説明図
【図６】実施形態に係るストロボ装置の表示・操作制御の別の例を示す説明図
【発明を実施するための形態】
【００１２】
以下、本発明の第１実施形態にかかる安全装置について図１〜図５を参照しながら説明する。
【００１３】
図１に示すように、ストロボ装置１は、下部に設けられた接続部２を介してカメラ３１（図２参照）のホットシュー（図示せず）に取り付けられ、写真撮影の際に正面側の発光部３を被写体に向けて発光させるものである。ストロボ装置１の背面側には、ストロボ装置１の各種動作を設定するための情報を表示する液晶パネル（表示パネル）４と、この液晶パネル４と協働して動作設定を行うための入力キー群５と、電源のオンオフに用いるメインスイッチ６と、充電完了を表示するためのパイロットランプ７とが設けられている。
【００１４】
液晶パネル４には、ストロボ装置１の各種動作を設定するための情報として、動作設定用画像が表示される。動作設定用画像には、所定の動作設定の処理に関連づけられた複数の設定ボタン（図３〜図５中のボタン１〜ボタン４参照）の表示が含まれている。ストロボ装置１の動作設定には、例えば、ＴＴＬ（Through The Lens）調光モードにおける補正量（ＥＶ(Exposure Value)値）の段階的な設定や、マニュアルモードにおける発光量の段階的な設定や、マルチフラッシュモードにおける発光周波数、発光回数、及び発光量の段階的な設定等が含まれている。設定ボタンは、例えば、ストロボ装置１の各種動作の設定値に直接的に関連づけられ、或いは、それら設定値の増減操作に関連づけられ、入力キー群５の操作に基づき選択される。
【００１５】
入力キー群には、上方向、右方向、下方向、左方向にそれぞれ対応する方向キーＡ〜Ｄ（図３中の△印で示すキーＡ〜Ｄ参照）を備えた十字キー１１と、この十字キー１１の中央に配置された実行キー１２とから構成される。十字キー１１は、液晶パネル４内に表示される設定ボタンを選択する際に操作（押下）される。方向キーＡ〜Ｄが対応する方向は、ユーザが所望の設定ボタンを選択する際の液晶パネル４内のカーソル移動や設定ボタンの反転表示の移動方向に対応する。また、実行キー１２は、選択された設定ボタンに関連づけられた動作設定の処理を実行する際に操作される。
【００１６】
図２に示すように、ストロボ装置１には、装置本体の姿勢を検出する傾斜センサ２１と、電源（図示せず）から供給された電圧を昇圧し、充電用のコンデンサ（図示せず）に供給する昇圧部２２と、装置各部を統括的に制御する制御部２３とが主として内蔵されている。
【００１７】
傾斜センサ２１は、ホールＩＣを用いた無接触型センサであり、図１に示すストロボ装置１を基準姿勢として、この基準姿勢からの姿勢の変化（例えば、横転）を検出する。
【００１８】
制御部２３は、マイクロコンピュータと、当該マイクロコンピュータが制御を行うための制御プログラムが格納されるＲＯＭと、当該マイクロコンピュータの制御のためのワークエリアを提供するＲＡＭ等から構成されており、接続部２を介してカメラ３１の制御部と各種処理命令の送受信が可能となっている。制御部２３は、公知のストロボ発光制御を実施するとともに、液晶パネル４に表示する動作設定用画像の向きを、装置本体の姿勢に応じて変更する表示制御と、各方向キーＡ〜Ｄの操作によって実行されるべき処理の割り当てを、装置本体の姿勢に応じてそれぞれ変更する操作制御とを実行する（以下、これら表示制御および操作制御を総称して表示・操作制御という。）。
【００１９】
表示制御において、制御部２３は、予めＲＯＭに記憶された動作設定用画像を読み出し、画像の向きを傾斜センサ２１の検出結果から得られる装置本体の姿勢（重力の向きに基づく上下方向）に一致させるように、読み出した画像を処理して液晶パネル４に表示する。また、予めＲＯＭには、装置本体がとり得る複数の姿勢について、各方向キーＡ〜Ｄに割り当てられた処理の情報を含む対応表が記憶されている。操作制御において、制御部２３は、画像の向きを傾斜センサ２１の検出結果から得られる装置本体の姿勢に応じて選択したＲＯＭ内の対応表を参照し、各方向キーＡ〜Ｄの操作によって実行されるべき処理の割り当てを行う。
【００２０】
次に、図３〜図５を参照して、上記ストロボ装置１の表示・操作制御について説明する。
【００２１】
図３に示すように、基準姿勢（垂直状態）にあるストロボ装置１において、液晶パネル４には設定ボタン１〜４が示されており、図３中の対応表に示すように、これら設定ボタンをそれぞれ選択する処理が方向キーＡ〜Ｄに割り当てられている。例えば、ユーザは、上方向に対応する方向キーＡを操作することで、液晶パネル４内の上方に位置する設定ボタン１を選択することができ、また、右方向に対応する方向キーＢを操作することで、液晶パネル４内の右方に位置する設定ボタン２を選択することができる。ユーザは、設定ボタン１〜４のいずれかを選択した後に、実行キー１２を操作することで、選択された設定ボタンに関連づけられた動作設定処理を実行することができる。
【００２２】
図４に示すように、ストロボ装置１を基準姿勢から右方向（図３中の時計回り方向）に９０°回転させると、制御部２３は、傾斜センサ２１の検出結果からその姿勢の変化を認識し、この変化後の姿勢に一致させるように設定ボタン１〜４を右方向に９０°回転した状態で液晶パネル４に表示する。同時に、制御部２３は、方向キーＡ〜Ｄの処理の割り当てを、図４中の対応表に示すように変更する。これにより、ユーザは、装置の姿勢が変更されたにも関わらず、装置が基準姿勢にある場合と同様に、液晶パネル４内の所望の設定ボタンと同じ方向に位置する方向キーを操作することで、設定ボタンを容易に選択することが可能となる。
【００２３】
同様に、図５に示すように、ストロボ装置１を基準姿勢から左方向に９０°（図３中の反時計回り方向）回転させると、制御部２３は、設定ボタン１〜４を左方向に９０°回転した状態で液晶パネル４に表示する。同時に、制御部２３は、方向キーＡ〜Ｄの処理が割り当てを、図５中の対応表に示すように変更する。
【００２４】
なお、設定ボタン１〜４の表示は、上述のように全ての方向キーＡ〜Ｄに対応づけられている必要はない。例えば、基準姿勢におけるストロボ装置１において、図６に示すように、液晶パネル４内の設定ボタン１〜５を上下に並べて配置し、ユーザが方向キーＡ，Ｃのみを用いて反転表示を上下に移動させて、設定ボタン１〜５のいずれかを選択することができる（図６中では、設定ボタン１が反転表示された例を示している。）。
【００２５】
本発明を特定の実施形態に基づいて詳細に説明したが、上記実施形態はあくまでも例示であって本発明はこれらの実施形態によって限定されるものではない。例えば、本発明に係る表示パネルは、動作設定用画像のみならず、他の任意の画像を表示するのに使用することが可能である。また、入力キー群は、上記構成に限定されず、例えば、十字キーの代わりに回転操作キーを備えた構成も可能である。
【符号の説明】
【００２６】
１  ストロボ装置
４  液晶パネル（表示パネル）
５  入力キー群
１１  十字キー
１２  実行キー
１３  制御部（表示制御手段、操作制御手段）
２１  傾斜センサ（姿勢検出センサ）
３１  カメラ
Ａ〜Ｄ  方向キー
【図１】
2012032419.tif 000003
【図２】
2012032419.tif 000004
【図３】
2012032419.tif 000005
【図４】
2012032419.tif 000006
【図５】
2012032419.tif 000007
【図６】
2012032419.tif 000008